(57)【要約】【課題】重量物である太陽電池パネルの複数枚を水平姿勢で収容する梱包体において、全体の構成は簡素でありながら、箱体内に積層した太陽電池パネルが不用意に移動しないように、箱体内にしっかりと位置決めできるようにした太陽電池パネル用梱包材を開示する。【解決手段】太陽電池パネル用梱包材１は、太陽電池パネルＰの４つの隅部を支持する発泡樹脂製の４個のコーナーパッド１０と、コーナーパッド１０で４隅が支持された状態の太陽電池パネルＰを水平姿勢に収容する箱体２０と、パレット３０とを備える。コーナーパッド１０は、太陽電池パネルＰの底面側が接することのない所要幅の凹溝１３が形成されている。また、太陽電池パネル用梱包材は、コーナーパッド１０を位置決め用するための位置決め部材４０と、上載荷重に対する荷重支持部材５０とをさらに備える。【選択図】図４
2011037474.tif 000002
【特許請求の範囲】
【請求項１】
太陽電池パネルの４つの隅部を支持する発泡樹脂製の４個のコーナーパッドと、
前記コーナーパッドで４隅が支持された状態の太陽電池パネルを水平姿勢に収容する箱体と、を備え、
前記各コーナーパッドは太陽電池パネルの底面側を支持する底面部と太陽電池パネルの端面側を支持する側壁部とを有し、前記底面部には前記側壁部に沿うようにして、太陽電池パネルの底面側が接することのない所要幅の凹溝が形成されていることを特徴とする太陽電池パネル用梱包材。
【請求項２】
請求項１に記載の太陽電池パネル用梱包材であって、前記各コーナーパッドの裏面には上下に積み上げたときに下位のコーナーパッドの前記側壁部の上部側が入り込むことのできる切り欠き部が形成されていることを特徴とする太陽電池パネル用梱包材。
【請求項３】
請求項１または２に記載の太陽電池パネル用梱包材であって、コーナーパッド位置決め用部材をさらに備えることを特徴とする太陽電池パネル用梱包材。
【請求項４】
請求項１ないし３のいずれか一項に記載の太陽電池パネル用梱包材であって、上載荷重に対する板状または棒状の荷重支持部材をさらに備えることを特徴とする太陽電池パネル用梱包材。
【請求項５】
請求項１ないし４のいずれか一項に記載の太陽電池パネル用梱包材であって、前記箱体を支持するパレットをさらに備えることを特徴とする太陽電池パネル用梱包材。
【発明の詳細な説明】
【技術分野】
【０００１】
本発明は、太陽電池パネルを梱包するための太陽電池パネル用梱包材に関する。
【背景技術】
【０００２】
近年、環境への関心が高まるとともに、光エネルギーを電気エネルギーに変換する太陽電池に対する需要が高まり、太陽電池セルモジュールに枠構造や端子箱を取付けた太陽電池パネルが、広く流通するようになっている。その一方で、太陽電池パネルは、概して大型かつ重量物であり、流通時等に荷崩れ等によって損傷を受け易いことから、複数枚の太陽電池パネルを安全に輸送できるようにした太陽電池パネル用梱包材が求められており、いくつかの提案がすでにされている。
【０００３】
特許文献１には、段ボール製の梱包ケーシングと木製パレットを備え、梱包ケーシングは段ボールを折り曲げて形成した上側仕切りと下側仕切りを有し、隣り合う２つの上側仕切りの間で太陽電池パネルの上方部位を支持し、隣り合う２つの下側仕切りの間で当該太陽電池パネルの下方部位を支持した状態で、梱包ケーシング内に複数枚の太陽電池パネルを立てた姿勢で収容し、全体を締め付けバンドで締め付けることで、複数枚の太陽電池パネルを安全に輸送できるようにした太陽電池パネル用梱包材が記載されている。
【０００４】
特許文献２には、受光面が上下方向を向いた状態で、すなわち水平姿勢で積層した複数の太陽電池パネルを支持するパレットと、パレット上に積層された太陽電池パネルの周囲を囲う四角筒状の壁と、壁の上側開口部を覆う上面板材と、締め付けバンドと、具備している太陽電池パネル用梱包材が記載されている。
【先行技術文献】
【特許文献】
【０００５】
【特許文献１】特開２００５−１５３８８８号公報
【特許文献２】特開２００７−２２３６３９号公報
【発明の開示】
【発明が解決しようとする課題】
【０００６】
特許文献１に記載のように、太陽電池パネルを立てた姿勢で収容し梱包する梱包材の場合には、重量物である太陽電池パネルが輸送時中に不規則に振動し、それにより仕切りを破損しないように、上下の仕切りを強くかつ精緻に作ることが求められる。
【０００７】
特許文献２に記載のように、太陽電池パネルを水平姿勢で収容し梱包する梱包材の場合には、梱包材としては比較して簡単な構成のものとすることができる。しかし、上下方向に多段に積層された複数枚の太陽電池パネルが輸送中の振動により荷崩れを起こしたり、万が一、梱包体が落下したようなときに、衝撃で太陽電池パネルの偶部が破損したりしないように、箱体内に水平姿勢で多段に積層した太陽電池パネルをしっかりと位置決めしておくための手段が必要となる。
【０００８】
本発明は、上記のような事情に鑑みてなされたものであり、重量物である太陽電池パネルの複数枚を水平姿勢で収容する梱包体において、全体の構成は簡素でありながら、箱体内に積層した太陽電池パネルが不用意に移動しないように、箱体内にしっかりと位置決めできるようにした太陽電池パネル用梱包材を開示することを課題とする。
【課題を解決するための手段】
【０００９】
本発明による太陽電池パネル用梱包材は、太陽電池パネルの４つの隅部を支持する発泡樹脂製の４個のコーナーパッドと、前記コーナーパッドで４隅が支持された状態の太陽電池パネルを水平姿勢に収容する箱体と、を備え、前記各コーナーパッドは太陽電池パネルの底面側を支持する底面部と太陽電池パネルの端面側を支持する側壁部とを有し、前記底面部には前記側壁部に沿うようにして、太陽電池パネルの底面側が接することのない所要幅の凹溝が形成されていることを特徴とする。
【００１０】
上記の太陽電池パネル用梱包材では、箱体内に収容される太陽電池パネルは、箱体の４隅に位置決めされた発泡樹脂製の４個のコーナーパッドによって、４つの隅部が支持された姿勢で収容される。従って、輸送時の振動等によって不用意に移動することはなく、収容姿勢は安定する。
【００１１】
また、発泡樹脂製のコーナーパッドは所要の緩衝性を有しており、振動によるわずかな移動は発泡樹脂製のコーナーパッドによって吸収されるので、太陽電池パネルに傷が付くことはない。さらに、各コーナーパッドの底面部には、太陽電池パネルの底面側が接することのない所要幅の凹溝が形成されており、この凹溝によって、落下衝撃時等に太陽電池パネルのコーナーにかかる衝撃力は緩和されるので、落下衝撃によって太陽電池パネルが破損するのも防止できる。
【００１２】
各コーナーパッドは、太陽電池パネルの偶部のみを支持する面積を有していればよく、コーナーパッドに係る発泡樹脂の材料費も少なくてすみ、太陽電池パネル用梱包材の低コスト化ももたらされる。
【００１３】
本発明による太陽電池パネル用梱包材の好ましい態様において、前記各コーナーパッドには、その裏面に、上下に積み上げたときに下位のコーナーパッドの前記側壁部の上部側が入り込むことのできる切り欠き部が形成されている。この態様の太陽電池パネル用梱包材では、１枚または複数枚の太陽電池パネルの４つの偶部を４つの前記コーナーパッドで支持した積層物を、箱体内に荷崩れ等が生じない一層安定した姿勢で多段に段積みすることができる。
【００１４】
本発明による太陽電池パネル用梱包材の他の態様では、コーナーパッド位置決め用部材をさらに備える。この態様では、適宜の手段でコーナーパッド位置決め用部材を、梱包を行おうとする場所にあらかじめセットしておくことにより、４つのコーナーパッド位置決めを容易にかつ精度高く行うことができ、太陽電池パネルの収容作業は容易となる。所要段数に太陽電池パネルを積み上げた後、その上部にコーナーパッド位置決め用部材を取り付けることにより、コーナーパッドが不用意に離脱するのを阻止することができ、段積みした太陽電池パネルの姿勢は、一層安定する。その状態で、箱体内に全体を収容してもよく、空の箱体内の底部にあらかじめコーナーパッド位置決め用部材と最下段のコーナーパッドを設置した状態とし、そこに太陽電池パネルをコーナーパッドとともに順次段積みしていくようにしてもよい。その場合でも、段積みした太陽電池パネルの上位には、そこに取り付けられたコーナーパッドが不用意に離脱しないように、コーナーパッド位置決め用部材を取り付ける。
【００１５】
本発明による太陽電池パネル用梱包材のさらに他の態様では、上載荷重に対する板状または棒状の荷重支持部材をさらに備える。多段に太陽電池パネルを段積みした太陽電池パネル用梱包材を、２段以上に積み上げて輸送や保管に供する場合がある。その場合、下段の梱包材にかかる荷重が大きくなり、該梱包材のコーナーパッドが破損する恐れがある。前記荷重支持部材を備える場合には、上方の梱包体からの荷重がコーナーパッドに直接作用するのを回避することでき、コーナーパッドが破損して太陽電池パネルに損傷が生じるのを確実に阻止することができる。
【００１６】
本発明による太陽電池パネル用梱包材のさらに他の態様では、前記箱体を支持するパレットをさらに備える。この態様では、パレット上に太陽電池パネルを収容した箱体を載置し、バンド等で一体に締め付けることで、輸送時や保管時での梱包体の取り扱いを容易かつ安定化することができる。
【発明の効果】
【００１７】
本発明による太陽電池パネル用梱包材を用いることにより、重量物である太陽電池パネルの複数枚を水平姿勢で安定的かつ不用意に移動しないようにして収容することができ、太陽電池パネルの輸送や保管がきわめて容易となる。
【図面の簡単な説明】
【００１８】
【図１】本発明による太陽電池パネル用梱包材の一形態を分解して示す斜視図。
【図２】太陽電池パネル用梱包材で使用するコーナーパッドの斜視図。
【図３】図１に示す太陽電池パネル用梱包材の梱包後の状態を示す断面図。
【図４】本発明による太陽電池パネル用梱包材の他の形態を説明する図。
【図５】図４に示す梱包材の他の使用形態を説明する図。
【発明を実施するための形態】
【００１９】
以下、本発明による太陽電池パネル用梱包材を実施の形態に基づき説明する。
図１は、本発明による太陽電池パネル用梱包材１の第１の実施の形態を分解して示している。太陽電池パネル用梱包材１は、図２に示す形状のコーナーパッド１０と、箱体２０とを備える。梱包しようとする太陽電池パネルＰは平面視で長方形あるいは正方形であり、その４つの偶部が４つのコーナーパッド１０によって支持されて箱体２０内に水平姿勢で収容され、図３に示す梱包体２とされる。
【００２０】
コーナーパッド１０は発泡樹脂製であり、太陽電池パネルＰの底面側を支持する底面部１１と太陽電池パネルＰの端面側を衝接した状態で支持する側壁部１２とを有している。底面部１１は平面視で正方形または長方形であり、その直交する２辺から立ち上がるようにして、９０度に折曲する側壁部１２が一体成形されている。底面部１１の上面側には、側壁部１２に沿うようにして、所要幅の凹溝１３が９０度に折曲する形状で形成されており、底面部１１の下面側には、同じ形状のコーナーパッド１０を上下に積み上げたときに下位に位置するコーナーパッド１０の前記側壁部１２の上部側が入り込むことのできる形状の切り欠き部１４が形成されている。
【００２１】
前記側壁部１２の底面部１１からの高さｈは任意であるが、図示のものでは、図３に示すように、同じ形状のコーナーパッド１０、１０を上下に積み上げたときに、下位に位置するコーナーパッド１０の底面部１１の上面側と上位に位置するコーナーパッド１０の底面部１１の下面側との間に、面方向に積層した４枚の太陽電池パネルＰが入り込む隙間が確保できる高さとされている。
【００２２】
発泡樹脂製のコーナーパッド１０は、所要の緩衝性と機械的強度を備えることを条件に任意の樹脂材料で作ることができる。好ましくは、熱可塑性樹脂の型内発泡成形品である。熱可塑性樹脂には、ポリスチレン系樹脂、ポリオレフィン系樹脂（例えば、ポリプロピレン系樹脂、ポリエチレン系樹脂等）、ポリエステル系樹脂（例えば、ポリエチレンテレフタレート、ポリブチレンテレフタレート、ポリエチレンナフタレート等）、ポリカーボネート系樹脂、ポリ乳酸系樹脂などが挙げられる。なかでも、ポリスチレンとポリエチレンとを含む複合樹脂を用いることが好ましい。発泡体の倍率は、梱包しようとする太陽電池パネルＰの重量等を勘案して適宜設定すればよいが、緩衝性がよく、軽量で経済的である点から、好ましくは３０〜６０倍程度である。
【００２３】
箱体２０は、底板２１と４周の側板２２と天板２３とを有する。箱体２０の材料は、所要の強度を持つ適宜の材料であってよいが、軽量性と加工性の観点から、強化段ボールであることは好ましい。
【００２４】
図１において、３０は木製あるいは樹脂製のパレットであり、太陽電池パネルＰを収容した梱包体２を載せて移動したり保管するのに用いられる。
【００２５】
次に、太陽電池パネルＰを梱包するときの手順の一例を説明する。最初に、パレット３０の上に箱体２０を置き、その天板２３を開いた状態とする。箱体２０の底板２１の４隅に、前記したコーナーパッド１０をそれぞれ位置決めする。一方で、ポリプロピレンの発泡シートのような適宜の緩衝シートを間に挟みながら、４枚の太陽電池パネルＰを水平姿勢で積層したものを用意し、その４つの偶部が、前記位置決めされているコーナーパッド１０の底面部１１に載るようにして、箱体２０内に収容する。
【００２６】
以下、同じようにして形成した太陽電池パネルＰの積層体を、各偶部に取り付けたコーナーパッド１０における底面部１１の下面側に形成した切り欠き部１４内に、下位に位置するコーナーパッド１０における底面部１１の上面側に形成した側壁部１２の上部側が入り込むようにして、所要段数分、段積みする。図示の例では、６段に段積みされている。
【００２７】
その後、箱体２０の天板２３を閉じることで、梱包体２とされる。その梱包体２に対して、図示しないバンドをパレット３０の開口３１を通しながら掛け渡しかつ締め付けることで、梱包作業は終了し、その状態で、輸送や保管に供される。
【００２８】
上記の梱包体２では、水平姿勢とされた太陽電池パネルＰの４隅のみを発泡樹脂製のコーナーパッド１０で支持するようにしており、発泡樹脂製の梱包容器内に垂直姿勢で太陽電池パネルを収容し梱包する場合と比較して、積載効率がよく、かつ梱包体のコストを低減することができる。太陽電池パネルの荷重受け（単位面積当たりの荷重）が垂直姿勢で梱包する場合よりも少ないために、梱包後の太陽電池パネルへの負荷が小さくなり、輸送時の安定性は向上する。
【００２９】
さらに、本発明による太陽電池パネル用梱包材では、前記したように、コーナーパッド１０として、太陽電池パネルＰの底面側が接することのない所要幅の凹溝１３が側壁部１２に沿うようにして底面部１１に形成されているものを用いており、落下衝撃が掛かったようなときに、前記凹溝１３は太陽電池パネルＰの偶部の逃げ空間として機能することができ、偶部が破損するのを効果的に回避することができる。さらに、梱包体２において、太陽電池パネルＰの側縁の大部分は、太陽電池パネル用梱包材１を構成する各部材に接することはなく、輸送中の振動等によって、パネル側縁に傷が付いたりすることも回避される。
【００３０】
図４は、本発明による太陽電池パネル用梱包材の他の形態を示す。この太陽電池パネル用梱包材１Ａは、コーナーパッド位置決め用部材４０と、上載荷重支持部材５０と、をさらに備える点で、図１に示した太陽電池パネル用梱包材１と相違する。他の構成は太陽電池パネル用梱包材１と同じであり、同じ符号を付して説明は省略する。
【００３１】
図４に示す例において、コーナーパッド位置決め用部材４０は、２つの下部コーナーパッド位置決め用部材４０Ａ，４０Ａと、２つの上部コーナーパッド位置決め用部材４０Ｂ，４０Ｂとで構成される。各コーナーパッド位置決め用部材４０は、金属板あるいは強化プラスチックで作られており、長方形の基板４１と、該基板４１の１つの長辺のその両端に接続する２つの短辺に沿ってコ字状に立設する側板４２とで構成される。長方形の基板４１の長辺の長さは、太陽電池パネルＰの２つの偶部に取り付けたコーナーパッド１０，１０の対向し定置する側壁部１２，１２の外側間の距離Ｗとほぼ等しくされている。
【００３２】
上載荷重支持部材５０は、金属板または強化プラスチックあるいは紙管で作られており、図示の例では、断面Ｌ字状の金属板である。上載荷重支持部材５０の長さは、前記した６段に段積みされた太陽電池パネルＰのコーナーパッド１０を含む高さＨとほぼ等しく、立てた姿勢で、前記した下部コーナーパッド位置決め用部材４０Ａ，４０Ａの２つの角部の外側に、それぞれ一体に固定されている。
【００３３】
梱包に当たっては、前記したパレット３０の一辺に沿うようにして、一方の下部コーナーパッド位置決め用部材４０Ａを配置し、パレット３０に対してボルト締め等によって固定する。また、地方の下部コーナーパッド位置決め用部材４０Ａを、梱包しようとする太陽電池パネルＰの大きさに合わせた距離を置いてかつパレット３０の対向する辺に沿う用にして配置し、同様に、パレット３０に対してボルト締め等によって固定する。そのようにして固定した２つの対向配置する下部コーナーパッド位置決め用部材４０Ａ，４０Ａおよびそこに固定した上載荷重支持部材５０とを外側ガイド部材として利用して、コーナーパッド１０を用いて多段に段積みされた太陽電池パネルＰを、パレット３０の上に収容する。さらに、収容した太陽電池パネルＰの対向する２つの上辺部に、２つの上部コーナーパッド位置決め用部材４０Ｂ，４０Ｂを取り付ける。そして、その上から、底板２１を有しない箱体２０を被せるようにして配置し、天板３１を閉じることで、梱包体とされる。その梱包体に対して、図１の場合と同様にして、図示しないバンドをパレット３０の開口３１を通しながら掛け渡しかつ締め付けることで、梱包作業は終了し、その状態で、輸送や保管に供される。
【００３４】
図５は同じ太陽電池パネル用梱包材１Ａを用いて、異なる順序で梱包作業を行う場合を示している。この例では、パレット３０の上に、最初に箱体２０を置き、その箱体２０の中に、前記した、下部コーナーパッド位置決め用部材４０Ａと上載荷重支持部材５０とからなる部材を配置し、それを利用して、コーナーパッド１０を用いて多段に段積みされた太陽電池パネルＰを落とし込んで収容する。その後、収容した太陽電池パネルＰの対向する２つの上辺部に、２つの上部コーナーパッド位置決め用部材４０Ｂ，４０Ｂを取り付け、箱体２０の天板３１を閉じることで、梱包体とされる。この場合も、図示しないバンドをパレット３０の開口３１を通しながら掛け渡しかつ締め付けることで、梱包作業は終了する。
【００３５】
上記の作業手順の場合でも、箱体２０内に下部コーナーパッド位置決め用部材４０Ａと上載荷重支持部材５０とからなる部材を配置した後に、下部コーナーパッド位置決め用部材４０Ａをビスやボルト締めによってパレット３０に固定するようにしてもよいが、箱体２０によって下部コーナーパッド位置決め用部材４０Ａはある程度の位置決めがなされるので、省略することもできる。
【００３６】
図４および図５に示す太陽電池パネル用梱包材１Ａを用いる場合には、各コーナーパッド１０はコーナーパッド位置決め用部材４０によってしっかりと位置決めされているので、重量物である太陽電池パネルＰおよびその積層体が輸送中の振動等により移動しようとしても、その移動をしっかりと押さえ込むことができる。すなわち、位置決め精度が向上して、荷崩れや、上下の太陽電池パネルＰ間でのこすれ等による損傷が生じるのを確実に回避することができる。また、前記梱包体を２段以上に段積みする場合でも、下位の梱包体において、上方の梱包体からの荷重は、上載荷重支持部材５０によって支持され、コーナーパッド１０に直接作用するのはないので、コーナーパッド１０が破損して太陽電池パネルＰに損傷が生じるのを確実に阻止することができる。さらに、箱体２０は、単に防塵機能を備えていればよく、箱体２０に太陽電池パネルＰの移動を阻止するだけの機械的強度は求められないので、箱体２０に掛かるコストを低減することもできる。
【符号の説明】
【００３７】
Ｐ…太陽電池パネル、
１、１Ａ…太陽電池パネル用梱包材、
２…梱包体、
１０…コーナーパッド、
１１…底面部、
１２…側壁部、
１２…側壁部、
１３…凹溝、
１４…切り欠き部、
２０…箱体、
２１…底板、
２２…４周の側板、
２３…天板、
３０…木製あるいは樹脂製のパレット、
４０…コーナーパッド位置決め用部材、
４０Ａ…下部コーナーパッド位置決め用部材、
４０Ｂ…上部コーナーパッド位置決め用部材、
４１…長方形の基板、
４２…側板、
５０…上載荷重支持部材。
【図１】
2011037474.tif 000003
【図２】
2011037474.tif 000004
【図３】
2011037474.tif 000005
【図４】
2011037474.tif 000006
【図５】
2011037474.tif 000007